(57)【要約】  本発明は、組立式コンテナハウスシステム用の組立体に関する。この組立体は第１の主壁板を有し、第１の主壁板は長方形の本体を有し、第１の主壁板の本体の右上部分は右方に突出して球状突起を形成し、右下部分は右方に延びて延長部分を形成し、第１の主壁板の本体の左上部分は左方に延びて延長部分を形成し、左下部分は左方に突出して球状突起を形成し、２つの延長部分の前端面には、後方に凹んで球状凹部キャビティが形成され、球状突起は球状凹部キャビティと整合し、球状突起の軸方向は、球状凹部キャビティの軸方向に垂直である。組立式コンテナハウスシステム用の組立体は家屋、大きな物置、キャビネット、ボックス、おもちゃなどを、異なる長さ、異なる高さ、異なる幅、および異なる色を有する部材で組み立てることができるという利点がある。さらに、独立して使用されるバスルーム、リビングルーム、および洗面器システムが導出され得る。様々な部品が確実に接続され、繰り返し使用され、産業標準化および量産に適しており、輸送および組み継ぎが容易になる。
2019525029.tif 000002
【特許請求の範囲】
【請求項１】
組立式コンテナハウスシステム用の組立体であって、第１の主壁板（１１００）を含み、前記第１の主壁板（１１００）が長方形の本体を有し、前記第１の主壁板（１１００）の前記本体の右上部分が右方に突出して球状突起（１０２０）を形成し、右下部分が右方に延びて延長部分（１０３０）を形成し、前記第１の主壁板（１１００）の前記本体の左上部分が左方に延びて延長部分（１０３０）を形成し、左下部分が左方に突出して球状突起（１０２０）を形成し、前記２つの延長部分（１０３０）の前端面には、後方に凹んで球状凹部キャビティ（１０１０）が形成され、前記球状突起（１０２０）が前記球状凹部キャビティ（１０１０）と整合し、前記球状突起（１０２０）の軸方向が、前記球状凹部キャビティ（１０１０）の軸方向に垂直である、組立式コンテナハウスシステム用の組立体。
【請求項２】
第２の主壁板（１２００）および半主壁板（１１５０）をさらに含み、前記第２の主壁板（１２００）が長方形の本体を有し、前記第２の主壁板（１２００）の前記本体の右下部分が右方に突出して球状突起（１０２０）を形成し、右上部分が右方に延びて延長部分（１０３０）を形成し、前記第２の主壁板（１２００）の前記本体の左下部分が左方に延びて延長部分（１０３０）を形成し、左上部分が左方に突出して球状突起（１０２０）を形成し、前記２つの延長部分（１０３０）の前端面には、後方に凹んで球状凹部キャビティ（１０１０）が形成され、前記球状突起（１０２０）が前記球状凹部キャビティ（１０１０）と整合し、前記球状突起（１０２０）の軸方向が、前記球状凹部キャビティ（１０１０）の軸方向に垂直であり、前記半主壁板（１１５０）の長さが前記第２の主壁板（１２００）の前記長さに等しく、前記第１の主壁板（１１００）の高さが前記第２の主壁板（１２００）の前記高さと同じであり、前記半主壁板（１１５０）の前記高さが前記第１の主壁板（１１００）の前記高さの半分であり、前記半主壁板（１１５０）の右側面が、前記半主壁板（１１５０）の前端面に平行な軸を有する球状突起（１０２０）を形成するように突出しており、左側面が、前記球状凹部キャビティ（１０１０）を有する延長部分（１０３０）を形成するように突出し、前記球状凹部キャビティ（１０１０）の軸が、前記半主壁板（１１５０）の前記前端面に垂直である、請求項１に記載の組立式コンテナハウスシステム用の組立体。
【請求項３】
前記第１の主壁板（１１００）および前記第２の主壁板（１２００）の上部が上方に突出して柱状ピン（１０６０）を形成し、前記第１の主壁板（１１００）および前記第２の主壁板（１２００）の底部が前記柱状ピン（１０６０）と整合する孔を形成するように上方に凹み、前記半主壁板（１１５０）の上部が上方に突出して前記柱状ピン（１０６０）を形成し、底部が上方に凹んで前記柱状ピン（１０６０）と整合する孔を形成する、請求項２に記載の組立式コンテナハウスシステム用の組立体。
【請求項４】
補助壁板（１１９０）、半補助壁板（１１９５）、および壁板を水平に突き合わせることができる水平コネクタ（１６８０）をさらに含み、前記補助壁板（１１９０）の構造が前記第１の主壁板（１１００）の前記構造と同じであり、かつ前記補助壁板（１１９０）の前記本体長さが前記第１の主壁板（１１００）の前記本体長さの半分であるか、または前記補助壁板（１１９０）の構造が前記第２の主壁板（１２００）の前記構造と同じであり、かつ前記補助壁板（１１９０）の前記本体長さが前記第１の主壁板（１１００）の前記本体長さの半分であり、前記補助壁板（１１９０）の前記高さが前記第１の主壁板（１１００）の前記高さおよび前記第２の主壁板（１２００）の前記高さと同じであり、前記半補助壁板（１１９５）の前記高さが前記補助壁板（１１９０）の前記高さの半分であり、前記半補助壁板（１１９５）の前記長さが前記補助壁板（１１９０）の前記長さと同じであり、前記半補助壁板（１１９５）の前記構造が前記補助壁板（１１９０）の上半分の前記構造と同じである、請求項２に記載の組立式コンテナハウスシステム用の組立体。
【請求項５】
前記水平コネクタ（１６８０）が、第１のストッパ（１６８４）、第２のストッパ（１６８１）、および第３のストッパ（１６８２）によって一体的に形成され、前記第３のストッパ（１６８２）が、前記第１のストッパ（１６８４）と前記第２のストッパ（１６８１）との間に位置し、前記第１のストッパ（１６８４）には、前記球状凹部キャビティ（１０１０）に整合する球状突起（１０２０）が突出形成されており、前記第３のストッパ（１６８２）には、前記球状突起（１０２０）に整合する球状凹部キャビティ（１０１０）が凹設され、前記水平コネクタ（１６８０）上の前記球状突起（１０２０）の軸方向が、前記水平コネクタ（１６８０）上の前記球状凹部キャビティ（１０１０）の軸方向に垂直であり、前記球状突起（１０２０）および前記球状凹部キャビティ（１０１０）が、前記第３のストッパ（１６８２）の異なる側面に位置する、請求項４に記載の組立式コンテナハウスシステム用の組立体。
【請求項６】
屋根をさらに含み、前記屋根が２つの主屋根（１５００）と昼光、防雨および換気用天窓（１５５０）を含み、前記２つの主屋根（１５００）が互いに組み付けることができ、前記昼光、防雨、換気用天窓（１５５０）が、前記２つの主屋根（１５００）の間に位置する、請求項３に記載の組立式コンテナハウスシステム用の組立体。
【請求項７】
前記屋根が少なくとも１つの補助屋根（１５８０）をさらに含み、前記補助屋根（１５８０）が前記２つの主屋根（１５００）の間に組み付けられ、前記昼光、防雨、換気用天窓（１５５０）が、前記主屋根（１５００）と前記補助屋根（１５８０）との間、および隣接する補助屋根（１５８０）の間に組み付けられる、請求項６に記載の組立式コンテナハウスシステム用の組立体。
【請求項８】
ドアプレート（１４００）、敷居（１６１０）、ドアビーム（１６２５）、第１のコーナドアフレーム（１６３０）、および第２のコーナドアフレーム（１６４０）をさらに含み、前記ドアプレート（１４００）が壁板にヒンジ式に接続された回転部分を有し、前記敷居（１６１０）が凹んでおり、右方に突出することにより、前記敷居（１６１０）の右側面に球状突起（１０２０）が形成され、前記敷居（１６１０）の左側が突出して、後端面が球状凹部キャビティ（１０１０）を有する第２の延長部分を形成し、前記敷居（１６１０）上の前記球状突起（１０２０）の軸が、前記敷居（１６１０）上の前記球状凹部キャビティ（１０１０）の軸に垂直であり、前記ドアビーム（１６２５）がＴ字型であり、前記ドアビーム（１６２５）の左側面には左側に突出して球状突起（１０２０）が形成され、前記ドアビーム（１６２５）の右側が突出して、後端面が球状凹部キャビティ（１０１０）を有する第２の延長部分が形成され、前記ドアビーム（１６２５）上の前記球状突起（１０２０）の軸が、前記ドアビーム（１６２５）上の前記球状凹部キャビティ（１０１０）の軸に垂直であり、前記第１のコーナドアフレーム（１６３０）の右側の下半部には、後端面が球状凹部キャビティ（１０１０）を有する第２の延長部分が一体的に形成され、前記第１のコーナドアフレーム（１６３０）の前記右側の上半部には、右方向に突出する球状突起（１０２０）が形成され、前記第１のコーナドアフレーム（１６３０）上の前記球状突起（１０２０）の軸が、前記第１のコーナドアフレーム（１６３０）上の前記球状凹部キャビティ（１０１０）の軸に垂直であり、前記第２のコーナドアフレーム（１６４０）の右側の上半部には、後端面が球状凹部キャビティ（１０１０）を有する第２の延長部分が一体的に形成され、前記第２のコーナドアフレーム（１６４０）の前記右側の下半部には、右方向に突出する球状突起（１０２０）が形成され、前記第２のコーナドアフレーム（１６４０）上の前記球状突起（１０２０）の軸が、前記第２のコーナドアフレーム（１６４０）上の前記球状凹部キャビティ（１０１０）の軸に対して垂直である、請求項３に記載の組立式コンテナハウスシステム用の組立体。
【請求項９】
屋根リッジをさらに含み、前記屋根リッジが、一次ビーム、弾性体（１９５０）、および前記一次ビームの両側に整合して設置される一体板（１３００）をさらに含み、前記一次ビームが、複数の一次ビーム部材（１９００）を左から右に順次組み継ぐことによって形成され、前記一次ビーム部材（１９００）の左組み継ぎ部（１９０３）が、前記一次ビーム部材（１９００）の右組み継ぎ部（１９０４）と整合し、前記左組み継ぎ部（１９０３）および前記右組み継ぎ部（１９０４）には、互いに整合する球状突起（１０２０）と球状凹部キャビティ（１０１０）と、が形成され、前記一次ビーム部材（１９００）の上端面には、千鳥状に配置され互いに対向する第１のフック状構造体（１９０１）および第２のフック状構造体（１９０２）が設けられ、前記弾性体（１９５０）がＴ字型であり、前記一体板（１３００）の内端が、互いに対向する前記第１のフック状構造体（１９０１）と前記第２のフック状構造体（１９０２）との間に位置し、前記弾性体（１９５０）のアーム（１９５１）と前記一次ビーム部材（１９００）の上面との間に位置する、請求項８に記載の組立式コンテナハウスシステム用の組立体。
【請求項１０】
前記球状凹部キャビティ（１０１０）および前記球状突起（１０２０）の両方が、単層およびシームレスブロー成形によって一体的に形成され、前記球状凹部キャビティ（１０１０）の内面に不連続な凹凸構造（１０１６）が形成される、請求項１に記載の組立式コンテナハウスシステム用の組立体。
【発明の詳細な説明】
【技術分野】
【０００１】
本発明は、園芸用設備の技術分野に関し、特に、組立式コンテナハウスシステム用の組立体に関する。
【背景技術】
【０００２】
国内外市場の現場で組み立てることができる既存の家屋の大部分は大きすぎるため、金属の柱や梁で支え、大量の建築金物で固定する必要がある。その結果、家屋の設置、購入、運搬が不便である。また、風防性能は良くなく、家屋を繰り返し組み立てたり分解したりすることはできない。さらに、キャビネット、ケース、ボックス、部屋などの構成要素間に関連する部材はない。製品の柔軟性と製造コスト、購買コストは制御が難しい。家屋は、大型の部材と大量のリベットを使用して設置され、基本的には繰り返し組み立てたり、分解することはできない。
【発明の概要】
【発明が解決しようとする課題】
【０００３】
（対応する記載なし）
【課題を解決するための手段】
【０００４】
本発明は、上記の問題点を解決するために案出されたものであって、家屋、大きな物置、キャビネット、ボックス、おもちゃなど、異なる長さ、異なる高さ、異なる幅、および異なる色を有する部材に組み立てることができる、組立式コンテナハウスシステム用の組立体を提供する。さらに、独立して使用されるバスルーム、リビングルーム、および洗面器システムが導出され得る。様々な部品が確実に接続され、繰り返し使用され、産業標準化および量産に適しており、輸送および組み継ぎが容易になる。以下の技術的解決策が使用される。
【０００５】
第１の主壁板を含む組立式コンテナハウスシステム用の組立体が提供され、第１の主壁板は長方形の本体を有し、第１の主壁板の本体の右上部分は右方に突出して球状突起を形成し、右下部分は右方に延びて延長部分を形成し、第１の主壁板の本体の左上部分は左方に延びて延長部分を形成し、左下部分は左方に突出して球状突起を形成し、２つの延長部分の前端面には、後方に凹んで球状凹部キャビティが形成され、球状突起は球状凹部キャビティと整合し、球状突起の軸方向は、球状凹部キャビティの軸方向に垂直である。
【０００６】
上記の技術的解決策に基づいて、組立式コンテナハウスシステム用の組立体は、第２の主壁板および半主壁板をさらに含み、第２の主壁板は長方形の本体を有し、第２の主壁板の本体の右下部分は右方に突出して球状突起を形成し、右上部分は右方に延びて延長部分を形成し、第２の主壁板の本体の左下部分は左方に延びて延長部分を形成し、左上部分は左方に突出して球状突起を形成し、２つの延長部分の前端面には、後方に凹んで球状凹部キャビティが形成され、球状突起は球状凹部キャビティと整合し、球状突起の軸方向は、球状凹部キャビティの軸方向に垂直であり、半主壁板の長さは第２の主壁板の長さに等しく、第１の主壁板の高さは第２の主壁板の高さと同じであり、半主壁板の高さは第１の主壁板の高さの半分であり、半主壁板の右側面は、半主壁板の前端面に平行な軸を有する球状突起を形成するように突出しており、左側面は、球状凹部キャビティを有する延長部分を形成するように突出し、球状凹部キャビティの軸は、半主壁板の前端面に垂直である。
【０００７】
上記の技術的解決策に基づいて、第１の主壁板および第２の主壁板の上部は上方に突出して柱状ピンを形成し、第１の主壁板および第２の主壁板の底部は柱状ピンと整合する孔を形成するように上方に凹み、半主壁板の上部は上方に突出して柱状ピンを形成し、底部は上方に凹んで柱状ピンと整合する孔を形成する。
【０００８】
上記の技術的解決策に基づいて、組立式コンテナハウスシステム用の組立体は、補助壁板、半補助壁板、および壁板を水平に突き合わせることができる水平コネクタをさらに含み、補助壁板の構造は第１の主壁板の構造と同じであり、かつ補助壁板の本体長さは第１の主壁板の本体長さの半分であるか、または補助壁板の構造は第２の主壁板の構造と同じであり、かつ補助壁板の本体長さは第１の主壁板の本体長さの半分であり、補助壁板の高さは第１の主壁板の高さおよび第２の主壁板の高さと同じであり、半補助壁板の高さは補助壁板の高さの半分であり、半補助壁板の長さは補助壁板の長さと同じであり、半補助壁板の構造は補助壁板の上半分の構造と同じである。
【０００９】
上記の技術的解決策に基づいて、水平コネクタは、第１のストッパ、第２のストッパ、および第３のストッパによって一体的に形成され、第３のストッパは、第１のストッパと第２のストッパとの間に位置し、第１のストッパには、球状凹部キャビティに整合する球状突起が突出形成されており、第３のストッパには、球状突起に整合する球状凹部キャビティが凹設され、水平コネクタ上の球状突起の軸方向は、水平コネクタ上の球状凹部キャビティの軸方向に垂直であり、球状突起および球状凹部キャビティは、第３のストッパの異なる側面に位置する。
【００１０】
上記の技術的解決策に基づいて、延長部分は半円形であり、第３のストッパの球状突起から離れた面には、水平コネクタの球状凹部キャビティに対向して延長部分の円弧面に沿って延びる挟持部が形成される。
【００１１】
上記の技術的解決策に基づいて、組立式コンテナハウスシステム用の組立体はドア開口孔壁板をさらに含み、ドア開口孔壁板の構造は第１の主壁板または第２の主壁板の構造と同じであり、ドア開口孔壁板にはドア孔が設けられている。
上記の技術的解決策に基づいて、第１の主壁板および第２の主壁板の両方は、厚い底部および薄い上部を有する。
【００１２】
上記の技術的解決策に基づいて、第１の主壁板および第２の主壁板の底面は、壁板の長さ方向に沿って延びる細長い段差を形成するように下方に突出し、段差の厚さは、第１の主壁板および第２の主壁板の底面の厚さより小さく、第１の主壁板および第２の主壁板の上面は、壁板の長さ方向に沿って延びる凹部を形成するように下方に凹んでおり、段差の厚さは、凹部の厚さよりも大きい。
【００１３】
上記の技術的解決策に基づいて、組立式コンテナハウスシステム用の組立体は屋根をさらに含み、屋根は２つの主屋根と昼光、防雨および換気用天窓を含み、２つの主屋根は互いに組み付けることができ、昼光、防雨、換気用天窓は、２つの主屋根の間に位置する。
【００１４】
上記の技術的解決策に基づいて、屋根は少なくとも１つの補助屋根をさらに含み、補助屋根は２つの主屋根の間に組み付けられ、昼光、防雨、換気用天窓は、主屋根と補助屋根との間、および隣接する補助屋根の間に組み付けられる。
【００１５】
上記の技術的解決策に基づいて、組立式コンテナハウスシステム用の組立体は上部カバーをさらに含み、上部カバーは、以下の２つの形態のうちの１つにある。
形態１）上部カバーは一体式の板である。
形態２）上部カバーは、第１の折り畳まれたプレートおよび第２の折り畳まれたプレートによって形成され、第１の折り畳まれたプレートは、第２の折り畳まれたプレートにヒンジ式に接続される。
【００１６】
上記の技術的解決策に基づいて、組立式コンテナハウスシステム用の組立体はフックをさらに含み、フックには、柱状ピン上にスリーブすることができる貫通孔が設けられている。
【００１７】
上記の技術的解決策に基づいて、組立式コンテナハウスシステム用の組立体は、ドアプレート、敷居、ドアビーム、第１のコーナドアフレーム、および第２のコーナドアフレームをさらに含み、ドアプレートは壁板にヒンジ式に接続された回転部分を有し、敷居は凹んでおり、右方に突出することにより、敷居の右側面に球状突起が形成され、敷居の左側が突出して、後端面が球状凹部キャビティを有する第２の延長部分を形成し、敷居上の球状突起の軸は、敷居上の球状凹部キャビティの軸に垂直であり、ドアビームはＴ字型であり、ドアビームの左側面には左側に突出して球状突起が形成され、ドアビームの右側が突出して、後端面が球状凹部キャビティを有する第２の延長部分が形成され、ドアビーム上の球状突起の軸は、ドアビーム上の球状凹部キャビティの軸に垂直であり、第１のコーナドアフレームの右側の下半部には、後端面が球状凹部キャビティを有する第２の延長部分が一体的に形成され、第１のコーナドアフレームの右側の上半部には、右方向に突出する球状突起が形成され、第１のコーナドアフレーム上の球状突起の軸は、第１のコーナドアフレーム上の球状凹部キャビティの軸に垂直であり、第２のコーナドアフレームの右側の上半部には、後端面が球状凹部キャビティを有する第２の延長部分が一体的に形成され、第２のコーナドアフレームの右側の下半部には、右方向に突出する球状突起が形成され、第２のコーナドアフレーム上の球状突起の軸は、第２のコーナドアフレーム上の球状凹部キャビティの軸に対して垂直である。
【００１８】
上記の技術的解決策に基づいて、第２のコーナドアフレームには、ドアプレートのシャフトを取り付けるために構成されたシャフト孔が設けられている。
【００１９】
上記の技術的解決策に基づいて、第１のコーナドアフレームには、南京錠を取り付けるために構成されたロック孔が設けられている。
【００２０】
上記の技術的解決策に基づいて、第２のコーナドアフレームは、スライドドアロープを接続するように構成されたスライドブロックに摺動可能に接続される。
【００２１】
上記の技術的解決策に基づいて、組立式コンテナハウスシステム用の組立体は、屋根リッジをさらに含み、屋根リッジは、一次ビーム、弾性体、および一次ビームの両側に整合して設置される一体板をさらに含み、一次ビームは、複数の一次ビーム部材を左から右に順次組み継ぐことによって形成され、一次ビーム部材の左組み継ぎ部は、一次ビーム部材の右組み継ぎ部と整合し、左組み継ぎ部および右組み継ぎ部には、互いに整合する球状突起と球状凹部キャビティとが形成され、一次ビーム部材の上端面には、千鳥状に配置され互いに対向する第１のフック状構造体および第２のフック状構造体が設けられ、弾性体はＴ字型であり、一体板の内端は、互いに対向する第１のフック状構造体と第２のフック状構造体との間に位置し、弾性体のアームと一次ビーム部材の上面との間に位置する。
【００２２】
上記の技術的解決策に基づいて、弾性体のアームは、中心から両側に下方に延びる円弧状の防雨アームである。
【００２３】
上記の技術的解決策に基づいて、左の組み継ぎ部および右の組み継ぎ部の球状突起および球状凹部キャビティの軸は、一次ビーム部材の上面に平行である。本発明には、組立式コンテナハウスシステム用の組立体は家屋、大きな物置、キャビネット、ボックス、おもちゃなどを、異なる長さ、異なる高さ、異なる幅、および異なる色を有する部材で組み立てることができるという利点がある。さらに、独立して使用されるバスルーム、リビングルーム、および洗面器システムが導出され得る。様々な部品が確実に接続され、繰り返し使用され、産業標準化および量産に適しており、輸送および組み継ぎが容易になる。
【００２４】
本発明の実施形態または先行技術の技術的解決策をより明確に説明するために、以下において実施形態または従来技術を説明するために必要な添付図面を簡単に説明する。明らかに、以下の説明における添付図面は、本発明の一実施形態を示すに過ぎず、当業者は創造的な努力なしに、提供される添付図面から他の添付図面を引き出すことができる。
【図面の簡単な説明】
【００２５】
【図１】本発明による第１の主壁板の概略構造図である。
【図２】本発明による第１の主壁板の概略構造断面図である。
【図３】本発明による球状凹部キャビティと球状突起とが整合した後の概略構造断面図である。
【図４】本発明による球状凹部キャビティの立体概略構造図である。
【図５】実施形態１によるベースキャビネットの立体概略構造図である。
【図６】本発明による第２の主壁板の概略構造図である。
【図７】実施形態２によるキャビネット本体の概略構造図である。
【図８】実施形態３によるコンテナハウスシステムの組立板の概略構造図である。
【図９】本発明による水平コネクタの正面視角からの立体概略構造図である。
【図１０】本発明による水平コネクタの背面視角からの立体概略構造図である。
【図１１】水平コネクタを用いて壁板が水平接続を行っている様子を示す概略構造断面図である。
【図１２】実施形態４による組立式コンテナハウスシステムの第１の形態の立体概略構造図である。
【図１３】実施形態４による組立式コンテナハウスシステムの第２の形態の立体概略構造図である。
【図１４】実施形態４によるドアビームの概略構造図である。
【図１５】実施形態４による敷居の概略構造図である。
【図１６ａ】実施形態４による第２のコーナドアフレームの正面視角からの立体概略構造図である。
【図１６ｂ】実施形態４による第２のコーナドアフレームの背面視角からの立体概略構造図である。
【図１７ａ】実施形態４による第１のコーナドアフレームの正面視角からの立体概略構造図である。
【図１７ｂ】実施形態４による第１のコーナドアフレームの背面視角からの立体概略構造図である。
【図１８】実施形態４による組立式コンテナハウスシステムの第３の形態の概略構造図である。
【図１９】本発明による屋根の第１の形態の概略構造図である。
【図２０】本発明による屋根の第２の形態の概略構造図である。
【図２１】図１８の屋根を開けた後の立体概略構造図である。
【図２２】本発明による上下の第１の主壁板の組み継ぎ後の概略構造断面図である。
【図２３】本発明による一次ビーム部材の立体概略構造図である。
【図２４】本発明による一次ビーム部材を組み合わせた後の概略構造図である。
【図２５】本発明による一次ビームと弾性体と一体板とを組み合わせた後の概略構造図である。
【図２６】４つの壁板が双方向屋根に整合するように延びることを示す概略構造図である。
【図２７】細長い組立式家屋の概略図である。
【図２８】本発明による一体型バスルームの立体概略構造図である。
【図２９】本発明による一体型バスルームの概略平面図である。
【図３０】本発明による一体型バスルームの上下構造体の概略図である。
【図３１】本発明による可搬式洗面器の概略図である。
【図３２】本発明による上部フリップカバーを有する一体型バスルームの概略構造図である。
【図３３】本発明による標準モジュールの第１の形態の概略構造図である。
【図３４】本発明による三輪水平移動式排水タンクの概略構造正面図である。
【図３５】本発明による三輪水平移動式排水タンクの概略構造上面図である。
【図３６】本発明による三輪水平移動式排水タンクの概略構造側面図である。
【図３７】本発明によるロッカー室およびシャワー室を有する拡張家屋型バスルームの立体概略図である。
【図３８】本発明によるロッカー室およびシャワー室を有する拡張家屋型バスルームの概略平面図である。
【発明を実施するための形態】
【００２６】
本発明を、添付図面および実施形態を参照して以下にさらに説明する。
【００２７】
以下に、本発明の実施形態を詳細に説明する。実施形態の例は添付図面に示されており、図面全体を通じて、同一または類似の番号は、同一または類似の要素または同一または類似の機能を有する要素を表すものとする。添付の図面を参照して以下に記載する実施形態は例示的なものであり、本発明を説明することのみを意図しており、本発明を制限するものとして理解することはできない。
【００２８】
本発明の説明において、特に明記および定義しない限り、「設置する」、「接続する」および「接続」という用語は広い意味で理解されるべきであり、例えば、接続は固定接続であってもよく、取り外し可能な接続、または一体的な接続であってもよく、接続は直接接続であってもよいし、中間物経由の間接接続であってもよい。当業者は、特定の条件に従って本発明における上記の用語の特定の意味を理解することができる。
【００２９】
本発明の説明において、「第１の」および「第２の」という用語は単に説明のためのものであり、相対的な重要性を示すまたは意味すると理解することはできないことに留意すべきである。
実施形態１
【００３０】
図１および図２に示すように、局所性の名詞、すなわち実施形態１における左右は、図１に示す図を参照して定義される。局所性の名詞を使用しても、本願の保護範囲を制限しないことを理解すべきである。この実施形態における組立式コンテナハウスシステム用の組立体は、第１の主壁板１１００が長方形の本体を有する第１の主壁板１１００と、第１の主壁板１１００の本体の右上部分は右方に突出して球状突起１０２０を形成し、右下部分は右方に延びて延長部分１０３０を形成し、第１の主壁板１１００の本体の左上部分は左方に延びて延長部分１０３０を形成し、左下部分は左方に突出して球状突起１０２０を形成し、２つの延長部分１０３０の前端面には、後方に凹んで球状凹部キャビティ１０１０が形成され、球状突起１０２０は球状凹部キャビティ１０１０と整合する。ここで、この整合が示すのは、２つの第１の主壁板１１００に関して、１つの第１の主壁板１１００の球状突起１０２０は、他の第１の主壁板１１００の球状凹部キャビティ１０１０に挿入され、それから容易に外れることはないことである。球状突起１０２０の軸方向は、球状凹部キャビティ１０１０の軸方向に垂直である。
【００３１】
図３に示すように、好ましくは、球状凹部キャビティ１０１０は、幅狭部１０１１を有する。球状突起１０２０は、幅狭部１０１１の内径よりも大きい外径を有する頭部１０２１を有する。球状突起１０２０の頭部１０２１は、外力によって強制的に衝撃を受けたときに変形して球状凹部キャビティ１０１０内に埋め込まれ、幅狭部１０１１によって制限されて、頭部１０２１が球状凹部キャビティ１０１０から外れるのが防止される。
【００３２】
好ましくは、球状凹部キャビティ１０１０および球状突起１０２０の両方が、単層およびシームレスブロー成形によって一体的に形成され、その結果、膨張および収縮のための比較的良好な変形空間が得られる。
【００３３】
図４に示すように、好ましくは、球状凹部キャビティ１０１０の内面に不連続な凹凸構造１０１６が形成され、それにより構造的剛性が向上する。
【００３４】
図５に示すように、組立式コンテナハウスシステムが提供され、ここで組立式コンテナハウスシステムは、４つの第１の主壁板１１００を連続して垂直に組み継ぐことによって形成される。要件に応じて、第１の主壁板１１００に対して複数の大きさが設定されてもよいことが理解されよう。すなわち、主壁板１１００の構造は同じであるが、大きさは異なっていてもよい。
【００３５】
図２に示すように、隣接する第１の主壁板１１００の球状突起１０２０の軸は、互いに直交している。したがって、各第１の主壁板１１００は、互いに直交する２つの方向によって制限される。したがって、より高い安定性を達成するために、第１の主壁板１１００の間に自己ロック構造が形成されてもよい。
【００３６】
組立式コンテナハウスシステムは上部カバーをさらに含むことができ、上部カバーは一体板１３００である。１つの第１の主壁板１１００は、シャフトを有する壁板１１８８であってもよい。一体板１３００の一方の側面は、シャフトを有する壁板１１８８のシャフトに回転可能に接続され、一体板１３００は、正方形の組立式コンテナハウスシステムの上面を開閉することができる。上部カバーを有する組立式コンテナハウスシステムは対象物を載置することができるベースキャビネットとして使用することができ、上部カバーは、設置後にベンチとして機能することができる。
【００３７】
実施形態２
図１に示すように、局所性の名詞、すなわち第１の主壁板を記述するための左右は、両方とも図１に示す図を参照して定義される。局所性の名詞を使用しても、本願の保護範囲を制限しないことを理解すべきである。組立式コンテナハウスシステム用の組立体は、第１の主壁板１１００が長方形の本体を有する第１の主壁板１１００を含み、第１の主壁板１１００の本体の右上部分は右方に突出して球状突起１０２０を形成し、右下部分は右方に延びて延長部分１０３０を形成し、第１の主壁板１１００の本体の左上部分は左方に延びて延長部分１０３０を形成し、左下部分は左方に突出して球状突起１０２０を形成し、２つの延長部分１０３０の前端面には、後方に凹んで球状凹部キャビティ１０１０が形成され、球状突起１０２０は球状凹部キャビティ１０１０と整合し、球状突起１０２０の軸方向は、球状凹部キャビティ１０１０の軸方向に垂直である。
【００３８】
図７に示すように、局所性の名詞、すなわち第２の主壁板を説明するための実施形態２における左右は、図６に示す図を参照して定義される。局所性の名詞を使用しても、本願の保護範囲を制限しないことを理解すべきである。より高度に多様化したコンテナハウスシステムを形成するために、組立式コンテナハウスシステム用の組立体は、第２の主壁板１２００および半主壁板１１５０をさらに含む。第２の主壁板１２００は長方形の本体を有し、第２の主壁板１２００の本体の右下部分は右方に突出して球状突起１０２０を形成し、右上部分は右方に延びて延長部分１０３０を形成し、第２の主壁板１２００の本体の左下部分は、左方に延びて延長部分１０３０を形成し、左上部分は左方に突出して球状突起１０２０を形成する。２つの延長部分１０３０の前端面には、後方に凹んで球状凹部キャビティ１０１０が形成されている。球状突起１０２０は、球状凹部キャビティ１０１０と整合する。球状突起１０２０の軸方向は、球状凹部キャビティ１０１０の軸方向に垂直である。すなわち、第２の主壁板１２００の構造（形状）は、第１の主壁板１１００の構造（形状）と鏡面対称である。しかし、第２の主壁板１２００の大きさは、第１の主壁板１１００の大きさと同一であってもよいし、第１の主壁板１１００の大きさと異なっていてもよい。複数の第２の主壁板１２００が存在するので、これらの第２の主壁板１２００は、同一の形状を有するが同一の大きさまたは異なる大きさであってもよく、大きさは実際の要件に応じて設定され、第１の主壁板１１００にも適用される。半主壁板１１５０の長さは、第２の主壁板１２００の長さに等しい。ここで、「長さ」は、図６を参照して、左から右への距離を指すことに留意されたい。第１の主壁板１１００の高さは、第２の主壁板１２００の高さと同じである。半主壁板１１５０の高さは、第１の主壁板１１００の高さの半分である。ここで、「高さ」は、図６を参照して、上から下への距離を指すことに留意されたい。半主壁板１１５０の右側は、半主壁板１１５０の前端面に平行な軸を有する球状突起１０２０を形成するように突出しており、左側は突出して球状凹部キャビティ１０１０を有する延長部分１０３０を形成し、ここで球状凹部キャビティ１０１０の軸は、半主壁板１１５０の前端面に対して垂直である。すなわち、すべての第１の主壁板１１００およびすべての第２の主壁板１２００は、好ましくは高さが一致しているため、組み継ぎが容易であるが、すべての第１の主壁板１１００およびすべての第２の主壁板１２００の長さは、同じでも異なっていてもよい。
【００３９】
第１の主壁板１１００と第２の主壁板１２００とは互いに交換される（ある程度の等価性）ことが理解されよう。すなわち、新しい第１の主壁板１１００も、元の第２の主壁板１２００の構造を有することができる。しかし、同時に、新しい第２の主壁板１２００の構造は、元の第１の主壁板１１００の構造に置き換えられる。
【００４０】
使用中、実装としては、図７に示すように、正方形キャビネット構造を組み立てる必要がある場合、まず、正方形構造の隣接する２つの垂直面をどのように形成するかを例に説明する。
【００４１】
第１に、半主壁板１１５０の右側の球状突起１０２０を、第１の主壁板１１００の左側の延長部分１０３０に接続する。続いて、第２の主壁板１２００を半主壁板１１５０上に配置し、主壁板１２００の右側の延長部分１０３０を第１の主壁板１１００の左側の球状突起１０２０に接続する。第１の主壁板１１００の層を、さらに第１の主壁板１１００の上方に配置し、第１の主壁板１１００の左側の延長部分１０３０を、第２の主壁板１２００の右側の球状突起１０２０に接続する。第２の主壁板１２００の層を、さらに第２の主壁板１２００の上方に配置し、それにより第２の主壁板１２００の右側の延長部分１０３０を第１の主壁板１１００の上層の左側の球状突起１０２０に接続し、他も同様に行い、それにより高さを連続的に増加させてもよい。第１の主壁板１１００および第２の主壁板１２００は、交互に組み継ぎされて高さが増加する。他の２つの平面は、２つの隣接する垂直平面と同じであり、すなわち、対向する平面の構造は同じである。
【００４２】
上部壁板と下部壁板との間の接続をより堅固にするために、好ましくは、第１の主壁板１１００および第２の主壁板１２００の上部は、上方に突出して柱状ピン１０６０を形成する。第１の主壁板１１００および第２の主壁板１２００の底部は、柱状ピン１０６０と整合する孔を形成するように上方に凹んでいる。半主壁板１１５０の上部は、上方に突出して柱状ピン１０６０を形成し、底部は、柱状ピン１０６０と整合する孔を形成するように上方に凹んでいる。このようにして、下部壁板の柱状ピンを上部壁板の孔に挿入することができる。したがって、組み継ぎ構造の安定性が向上する。
【００４３】
実施形態３
図８に示すように、実施形態２の組立体に基づいて、より多様化したコンテナハウスシステムを形成するために、組立式コンテナハウスシステム用の組立品は、補助壁板１１９０、半補助壁板１１９５、および様々な壁板を水平に突き合わせることができる水平コネクタ１６８０をさらに含んでもよい。補助壁板１１９０の構造は、第１の主壁板１１００の構造と同じであり、補助壁板１１９０の本体の長さは、第１の主壁板１１００の本体長さの半分である。あるいは、補助壁板１１９０の構造は、第２の主壁板１２００の構造と同じであり、補助壁板１１９０の本体の長さは、第１の主壁板１１００の本体長さの半分である。補助壁板１１９０の高さは、第１の主壁板１１００の高さおよび第２の主壁板１２００の高さと同じである。半補助壁板１１９５の高さは、補助壁板１１９０の高さの半分であり、半補助壁板１１９５の長さは、補助壁板１１９０の長さと同じである。半補助壁板１１９５の構造は、補助壁板１１９０の上半分の構造と同じである。水平コネクタ１６８０は、様々な壁板（補助壁板１１９０、半補助壁板１１９５、第１の主壁板１１００、第２の主壁板１２００、および半主壁板１１５０）を水平に組み継ぐことができる。
【００４４】
また、さらに図９〜図１１に示すように、水平コネクタ１６８０は、第１のストッパ１６８４、第２のストッパ１６８１、第３のストッパ１６８２により一体的に形成されている。第３のストッパ１６８２は、第１のストッパ１６８４と第２のストッパ１６８１との間に位置する。第１のストッパ１６８４には、球状凹部キャビティ１０１０に整合する球状突起１０２０が突出して形成されている。第３のストッパ１６８２には、球状突起１０２０と整合する球状凹部キャビティ１０１０が凹んで形成されている。水平コネクタ１６８０上の球状突起１０２０の軸方向は、水平コネクタ１６８０上の球状凹部キャビティ１０１０の軸方向に垂直である。球状突起１０２０および球状凹部キャビティ１０１０は、第３のストッパ１６８２の異なる側に配置される。
【００４５】
さらに、図１１に示すように、延長部分１０３０は半円形である。第３のストッパ１６８２の球状突起１０２０から離れた面には、水平コネクタ１６８０の球状凹部キャビティ１０１０に対向して延長部分１０３０の円弧面に沿って延びる挟持部１６８３が形成されている。
【００４６】
図８に示すように、実施形態３の組立式コンテナハウスシステム用の組立体を用いた具体的な組立式コンテナハウスシステムを以下に示す。組立式コンテナハウスシステムは組立プレートによって形成され、組立プレートは、４つの半補助壁板１１９５、１つの補助壁板１１９０、１つの第２の主壁板１２００、２つの第１の主壁板１１００、１つの半主壁板１１５０、１８個の水平コネクタ１６８０を含む。
【００４７】
確かに、組立体プレートは、他の方法でさらに組み継ぎされ得るので、異なる大きさの組立プレートが実際の要件を満たすように形成されることが理解され得る。組立プレートは完成後の第１の主壁板に相当するが、図８に示すように、組立プレートは第１の主壁板より大きなサイズを有し、第１の主壁板よりも多くの自由延長部分および球状突起１０２０を有するが、組立プレートの形態は、第１の主壁板の形態と同様である。以上のようにして、実施形態１や実施形態２で述べたような組み継ぎ方法を組立プレートを用いて完成させ、組立式コンテナハウスシステムを完成させることができる。
【００４８】
実施形態４
ここで、図１３〜図１８に示すように、局所性の名詞、すなわちドアプレート１４００、敷居１６１０、ドアビーム１６２５、第１のコーナドアフレーム１６３０、および第２のコーナドアフレーム１６４０を記述するための左右は、すべて図１８に示す図を参照して定義される。局所性の名詞を使用しても、本願の保護範囲を制限しないことを理解すべきである。実施形態２に基づいて、組立式コンテナハウスシステム用の組立体は、ドアプレート１４００、敷居１６１０、ドアビーム１６２５、第１のコーナドアフレーム１６３０、および第２のコーナドアフレーム１６４０をさらに含み、ドアプレート１４００は壁板にヒンジ式に接続された回転部分を有し、敷居１６１０は凹んでおり、右方に突出することにより、敷居１６１０の右側面に球状突起１０２０が形成され、敷居１６１０の左側が突出して、後端面が球状凹部キャビティ１０１０を有する第２の延長部分を形成し、敷居１６１０上の球状突起１０２０の軸は、敷居１６１０上の球状凹部キャビティ１０１０の軸に垂直であり、ドアビーム１６２５はＴ字型であり、ドアビーム１６２５の左側面には左側に突出して球状突起１０２０が形成され、ドアビーム１６２５の右側が突出して、後端面が球状凹部キャビティ１０１０を有する第２の延長部分が形成され、ドアビーム１６２５上の球状突起１０２０の軸は、ドアビーム１６２５上の球状凹部キャビティ１０１０の軸に垂直であり、第１のコーナドアフレーム１６３０の右側の下半部には、後端面が球状凹部キャビティ１０１０を有する第２の延長部分が一体的に形成され、第１のコーナドアフレーム１６３０の右側の上半部には、右方向に突出する球状突起１０２０が形成され、第１のコーナドアフレーム１６３０上の球状突起１０２０の軸は、第１のコーナドアフレーム１６３０上の球状凹部キャビティ１０１０の軸に垂直であり、第２のコーナドアフレーム１６４０の右側の上半部には、後端面が球状凹部キャビティ１０１０を有する第２の延長部分が一体的に形成され、第２のコーナドアフレーム１６４０の右側の下半部には、右方向に突出する球状突起１０２０が形成され、第２のコーナドアフレーム１６４０上の球状突起１０２０の軸は、第２のコーナドアフレーム１６４０上の球状凹部キャビティ１０１０の軸に対して垂直である。第２の延長部分の高さは、延長部分の高さの半分であることが好ましい。
【００４９】
図１６ａおよび図１６ｂに示すように、好ましくは、第２のコーナドアフレーム１６４０には、ドアプレートのシャフトを取り付けるためのシャフト孔１６３５が設けられている。
【００５０】
図１７ａおよび図１７ｂに示すように、好ましくは、第１のコーナドアフレーム１６３０には、南京錠を取り付けるためのロック孔１６３６が設けられている。
【００５１】
図１６ａおよび図１６ｂに示すように、好ましくは、第２のコーナドアフレーム１６４０は、スライドドアロープを接続するように構成されたスライドブロック１６３７に摺動可能に接続される。
【００５２】
図１８に示すように、実施形態４の組立式コンテナハウスシステムの様々な構成要素が組み継ぎされると、ドアプレート１４００、敷居１６１０、ドアビーム１６２５、第１のコーナドアフレーム１６３０、第２のコーナドアフレーム１６４０の組み合わせを、固定平面が開閉可能な平面となるように、実施形態２で示した組立式コンテナハウスシステムの前端面等の固定面を交換するために使用することができる。図１８に示すように、第１のコーナドアフレーム１６３０および第２のコーナドアフレーム１６４０は、左右の第１の主壁板１１００に接続されている。第１のコーナドアフレーム１６３０および第２のコーナドアフレーム１６４０の球状突起１０２０は、第１の主壁板１１００の球状凹部キャビティ１０１０に挿入され、第１の主壁板１１００の球状突起１０２０は、第１のコーナドアフレーム１６３０および第２のコーナドアフレーム１６４０の球状凹部キャビティ１０１０に挿入され、自己ロックを形成する。ドアプレート１４００は、ドアプレートのシャフトを利用して第２のコーナドアフレーム１６４０に回転可能に接続される。第１のコーナドアフレーム１６３０および第２のコーナドアフレーム１６４０の内側には、ドアプレート１４００が内側（コンテナハウス内）に回転する角度を制限する機能を果たすドアストッパ１０５４が設けられている。組み継ぎの間、ドアビーム１６２５は組立式コンテナハウスシステムの上部に配置され、敷居１６１０は組立式コンテナハウスシステムの底部に配置され、屋根または固定カバートップ１３５１は、（図１３に示すように）ドアビームの上方に着脱可能に接続される。
【００５３】
組立式コンテナハウスシステム用の組立体は、ドア孔を備えた壁板１１８０をさらに含むことができ、ドア孔を備えた壁板１１８０の構造は、第１の主壁板１１００または第２の主壁板１２００の構造と同じであり、ドア孔を備えた壁板１１８０にはドア孔１１８１が設けられている。このようにして、ドア孔を備えた壁板１１８０は、１つまたはいくつかの第１の主壁板１１００および第２の主壁板１２００を置き換えるために使用されてもよい。ドア孔１１８１にはシーリングリングおよび透明シートを有する補助窓が設置されるか、開閉可能な補助ドアが設置されて、物品を家屋に持ち込んで設置することができる。
【００５４】
図２１に示すように、組立式コンテナハウスシステムの上部を封止するために、組立式コンテナハウスシステム用の組立体は、屋根をさらに含む。
【００５５】
好ましくは、屋根の底面の四隅には、球状凹部キャビティ１０１０が形成されている。ドアビーム１６２５の第２の延長部分の上面は、上方に突出して球状突起１０２０を形成する。球状突起１０２０は、組立式コンテナハウスシステムの最上部に位置する半主壁板１１５０の延長部分の上面および組立式コンテナハウスシステムの最上部に位置する第１の主壁板１１００の延長部分の上面の両方に、上向きに突出して形成されている。屋根は、球状凹部キャビティ１０１０と球状突起１０２０との整合によって、１つの半主壁板１１５０、左右の第１の主壁板１１００、およびドアビーム１６２５に接続される。また、半主壁板１１５０、第１の主壁板１１００、およびドアビーム１６２５の上面には柱状ピンが設けられ、屋根の底面には柱状ピンと整合する孔が設けられている。
【００５６】
図１９および図２１に示すように、屋根は互いに組み付けられる２つの主屋根１５００を含むことが好ましく、２つの主屋根１５００の間に昼光、防雨および換気用天窓１５５０が組み付けられてもよい。図１９に示すように、主屋根１５００は、以下の解決策を用いて組み立てることができ、主屋根はＬ字型であり、主屋根の左側の第１の右側垂直面ａに突出するように球状突起１０２０が形成され、主屋根の左側の第２の右側垂直面ｂに球状突起１０２０と合致する球状凹部キャビティ１０１０が凹んで形成され、右側の主屋根の構造は、左側の主屋根の構造と全く同じであり、したがって、左側の主屋根と右側の主屋根（１８０度反転）は、ともに組み立てたり固定したりすることができる。明確に、本発明はこの実装にのみ限定されないことが理解されよう。例えば、第２の右側垂直面ｂに球状突起１０２０が形成され、第１の右側垂直面ａに球状凹部キャビティ１０１０が形成されてもよい。したがって、多くの形式があり、ここでは詳細を再度説明しない。
【００５７】
図２０および図２７に示すように、さらに、屋根は、少なくとも１つの補助屋根１５８０をさらに含むことができる。補助屋根１５８０は、２つの主屋根１５００の間に組み付けられ、昼光、防雨および換気用天窓１５５０は、主屋根１５００と補助屋根１５８０との間および隣接する補助屋根１５８０の間に組み付けられる。主屋根１５００および補助屋根１５８０には、防雨ストリップ１５１１が設けられている。屋根は、補助屋根１５８０を使用することによって延長することができる。補助屋根１５８０および主屋根１５００は、以下の解決策を用いて組み立てることができ、主屋根１５００はＬ字型であり、補助屋根１５８０はＺ字型であり、側面の突起は主屋根１５００の凹部に締結されており、主屋根１５００の突起は補助屋根１５８０の側面の凹部に締結されている。
組立式コンテナハウスシステムの上部を封止するために、組立式コンテナハウスシステム用の組立体は上部カバーをさらに含むことができ、上部カバーは、以下の２つの形態のうちの１つにある。
形態１）図５に示すように、上部カバーは一体板１３００である。
形態２）図１２および図２６に示すように、上部カバーは、第１の折り畳まれたプレート１３１０および第２の折り畳まれたプレート１３５０によって形成され、第１の折り畳まれたプレート１３１０は、第２の折り畳まれたプレート１３５０にヒンジ式に接続される。
【００５８】
図２６および図２７に示すように、組立式コンテナハウスシステム用の組立体は、ドアプレート１４００、敷居１６１０、ドアビーム１６２５、第１のコーナドアフレーム１６３０、および第２のコーナドアフレーム１６４０をさらに含み、実施形態３に基づいて、組立式コンテナハウスシステム用の組立体は、大きな家屋構造を組み合わせるように組み継ぎされてもよい。
【００５９】
図２２に示すように、組立式コンテナハウスシステム用の組立体を使用のために家屋に組み継ぐ必要がある場合、好ましくは、第１の主壁板１１００および第２の主壁板１２００の両方は、厚い底部および薄い上部を有する。このようにして、上下に組み継ぎされた第１の主壁板１１００の間にフランジが形成される（上層の第１の主壁板１１００の底部の外端は、下層の第１の主壁板１１００の上部の外端を上回る）。図２２を参照すると、上層の第１の主壁板１１００の底部の左端は、下層の第１の主壁板１１００の上部の左端を超えている。また、上下に組み継ぎされた第１の主壁板１１００間の継ぎ目に流入する雨を低減するために、上下に組み継ぎされた第２の主壁板１２００の間にフランジを形成してもよく、これは上下に組み継ぎされた第２の主壁板１２００にも適用され、この防水構造はＩ字型の構造である。
【００６０】
図２２に示すように、好ましくは、第１の主壁板１１００および第２の主壁板１２００の底面は、壁板の長さ方向に沿って延びる細長い段差１１１１を形成するように下方に突出し、段差１１１１の厚さは、第１の主壁板１１００および第２の主壁板１２００の底面の厚さより小さく、第１の主壁板１１００および第２の主壁板１２００の上面は、壁板の長さ方向に沿って延びる凹部を形成するように下方に凹んでおり、段差１１１１の厚さは、凹部の厚さよりも大きい。このようにして、上下に組み継ぎされた第１の主壁板１１００間の縫い目に雨が流入することをさらに防ぐことができ、これは上下に組み継ぎされた第２の主壁板１２００にも適用される。そのため、防水構造はＬ字型の鏡構造となっている。
【００６１】
図２２に示すように、組立式コンテナハウスシステム用の組立体はフック１０６１をさらに含むことができ、フック１０６１には、柱状ピン１０６０上にスリーブすることができる貫通孔が設けられている。フック１０６１は壁板の間に挟持され、家屋の内側または外側の棚または他の物品を吊り下げるように構成することができる。
【００６２】
図２３〜図２５に示すように、使用するための家屋を組立式コンテナハウスシステム用の組立体を用いて形成するために、組立式コンテナハウスシステム用の組立体は屋根リッジをさらに含むことができ、屋根リッジは弾性体１９５０と、一次ビームの両側に整合して設置された一体板１３００とで形成される。一次ビームは、複数の一次ビーム部材１９００を左から右に順次組み継ぎすることによって形成される。一次ビーム部材の左組み継ぎ部１９０３は、一次ビーム部材１９００の右組み継ぎ部１９０４と整合し、左組み継ぎ部１９０３および右組み継ぎ部１９０４には、互いに整合する球状突起１０２０および球状凹部キャビティ１０１０がそれぞれ設けられている。一次ビーム部材１９００の上端面には、千鳥状に配置され互いに対向する、第１のフック状構造体１９０１および第２のフック状構造体１９０２が設けられている。弾性体１９５０はＴ字型である。一体板１３００の内端は、第１のフック状構造体１９０１と第２のフック状構造体１９０２との間に位置し、弾性体１９５０のアーム１９５１と一次ビーム部材１９００の上面との間に位置している。
【００６３】
また、図２５に示すように、弾性体１９５０のアーム１９５１は、中心から両側に下方に延びる円弧状の防雨アームである。アーム１９５１は防雨機能を果たし、雨はやがてアーム１９５１に沿って両側に流れることができる。
【００６４】
また、図２３に示すように、左組み継ぎ部１９０３および右組み継ぎ部１９０４の球状突起１０２０および球状凹部キャビティ１０１０の軸は、一次ビーム部材１９００の上面に平行である。このようにして、一次ビームはより大きな圧力を受けることができる。
【００６５】
好ましくは、第１の主壁板１１００、第２の主壁板１２００、半主壁板１１５０、補助壁板１１９０、半補助壁板１１９５、ドアプレート１４００、敷居１６１０、ドアビーム１６２５、第１のコーナドアフレーム１６３０、および第２のコーナドアフレーム１６４０には、すべて、互いに整合するプラスチックフィードスルー拡張リベットサブ構造１０５０およびプラスチックフィードスルー拡張リベット親構造１０５１が設けられており、プラスチックフィードスルー拡張リベットサブ構造１０５０とプラスチックフィードスルー拡張リベット親構造１０５１との間の整合と、プラスチックフィードスルー拡張リベットをリベット留めすることにより、様々な構成要素を互いにより強固に接続することができる。
【００６６】
さらに、全ての構成要素の球状突起１０２０および球状凹部キャビティ１０１０は、同じ仕様を有することが好ましいことに留意されたい。すなわち、すべての球状突起１０２０および球状凹部キャビティ１０１０は、それらが位置する構成要素にかかわらず、同じであることが好ましい。好ましくは、すべての延長部分も、それらが位置する構成要素にかかわらず、同じ仕様を有する。好ましくは、すべての第２の延長部分も、それらが位置する構成要素にかかわらず、同じ仕様を有する。明細書には、同時に２つの要素、すなわち形状および大きさが含まれる。
【００６７】
実施形態４に基づいて、組立式コンテナハウスシステムは、組立式一体型バスルームとして使用されてもよい。図２８および図２９に示すように、洗面器１７２０、外側地下水タンク１７００、内側地下水タンク１７０５、ゴム製スリーブで保護されたプラスチック伸縮式足ポンプ１７１０、水を貯めることができ、フラッシング構造を有する便器１７３０、補助タンク１７４０がその中に配置されてもよい。
【００６８】
図３０に示すように、内側地下水タンク１７０５には、支柱１７０７が設置されてもよく、支柱１７０７は、便器１７３０および補助タンク１７４０を支持し、ドア孔が形成された壁板１１８０のドア孔１１８１を通して三輪水平移動式排水タンク１７５０を出し入れすることができ、開閉可能なドア１１８５をドア孔１１８１に設置することができる。内側地下水タンク１７０５にＵ字形の金属製フック１７０３の一方の側があり、他方の側は第１の主壁板１１００内にあるので、全体の剛性をさらに高めることができる。三輪水平移動式排水タンク１７５０には、封止弁１７５２が設けられている。三輪水平移動式排水タンク１７５０の底部には、前部に１つのユニバーサルホイール１７５３が、後部に２つの後輪１７５４が設けられている。図３４〜図３６に示すように、三輪水平移動式排水タンク１７５０には、前側のユニバーサルホイール１７５３と、２つの後側の固定ホイール１７５４と、前側のハンドル１７５５と、後側の隠しハンドル１７５６とが設けられていてもよい。三輪水平移動式排水タンク１７５０の上部には、封止弁１７５２、排気弁１７５１、液面表示１７５７、および２つの取り付けハンドル１７５８が設けられている。三輪水平移動式排水タンク１７５０の底部には、排出用ネジ山付きポート１７５９が設けられている。
【００６９】
図３１に示すように、本発明の洗面器１７２０は、支柱１７２１を用いて外側地下水タンク１７００に設置されたバスルームの標準的な構成である。洗面器１７２０が可搬式で移動可能な水タンクに設置され、足ポンプ１７１０が設置されている場合、可搬式洗面器が形成される。洗面器１７２０は、水栓１７２６、排出口１７２３、およびハンドソーププラットフォーム１７２２を備えることができる。外側地下水タンク１７００の底部には、２つの車輪１７０２が設けられている。
【００７０】
図３２に示すように、本発明の一体型バスルームは、上部フリップカバーをさらに備え、後々換気することができる。上部フリップカバーは一体板１３００であり、一体型バスルームの上部に回転可能に接続されている。水タンク１７００、洗面器１７２０、支柱１７２１、および足ポンプ１７１０は一体型バスルーム内に配置され、他の携帯用便器９９９は、一体型バスルームの残りの空間に配置され得る。
【００７１】
図３３に示すように、洗面器関連部品と協働する外側地下水タンク１７００は、統合および設置のための標準モジュールとして設けられてもよい。外側地下水タンク１７００は、貯水用の使用に加えて、防水床として直接使用することもできる。
【００７２】
図３７および図３８に示すように、ロッカー室およびシャワー室を有する拡張家屋型バスルームとして、一体型バスルームをさらに拡張してもよい。家屋型の一体型バスルームをベースに、拡張部品１６８０を使用して家屋長を延長し、フックを使用してシャワーカーテンを設置することで、一体型バスルームを分割する。シンプルなシャワー設備、棚、椅子を設置することができる。
【００７３】
以上、本発明を実施例により説明したが、本発明は上記実施形態に限定されるものではない。本発明になされた全ての変更または修正は、本発明の保護範囲内に含まれる。
【図１】
2019525029.tif 000003
【図２】
2019525029.tif 000004
【図３】
2019525029.tif 000005
【図４】
2019525029.tif 000006
【図５】
2019525029.tif 000007
【図６】
2019525029.tif 000008
【図７】
2019525029.tif 000009
【図８】
2019525029.tif 000010
【図９】
2019525029.tif 000011
【図１０】
2019525029.tif 000012
【図１１】
2019525029.tif 000013
【図１２】
2019525029.tif 000014
【図１３】
2019525029.tif 000015
【図１４】
2019525029.tif 000016
【図１５】
2019525029.tif 000017
【図１６ａ】
2019525029.tif 000018
【図１６ｂ】
2019525029.tif 000019
【図１７ａ】
2019525029.tif 000020
【図１７ｂ】
2019525029.tif 000021
【図１８】
2019525029.tif 000022
【図１９】
2019525029.tif 000023
【図２０】
2019525029.tif 000024
【図２１】
2019525029.tif 000025
【図２２】
2019525029.tif 000026
【図２３】
2019525029.tif 000027
【図２４】
2019525029.tif 000028
【図２５】
2019525029.tif 000029
【図２６】
2019525029.tif 000030
【図２７】
2019525029.tif 000031
【図２８】
2019525029.tif 000032
【図２９】
2019525029.tif 000033
【図３０】
2019525029.tif 000034
【図３１】
2019525029.tif 000035
【図３２】
2019525029.tif 000036
【図３３】
2019525029.tif 000037
【図３４】
2019525029.tif 000038
【図３５】
2019525029.tif 000039
【図３６】
2019525029.tif 000040
【図３７】
2019525029.tif 000041
【図３８】
2019525029.tif 000042
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
組立式コンテナハウスシステム用の組立体であって、第１の主壁板（１１００）を含み、前記第１の主壁板（１１００）が長方形の本体を有し、前記第１の主壁板（１１００）の前記本体の右上部分が右方に突出して球状突起（１０２０）を形成し、右下部分が右方に延びて延長部分（１０３０）を形成し、前記第１の主壁板（１１００）の前記本体の左上部分が左方に延びて延長部分（１０３０）を形成し、左下部分が左方に突出して球状突起（１０２０）を形成し、前記２つの延長部分（１０３０）の前端面には、後方に凹んで球状凹部キャビティ（１０１０）が形成され、前記球状突起（１０２０）が前記球状凹部キャビティ（１０１０）と整合し、前記球状突起（１０２０）の軸方向が、前記球状凹部キャビティ（１０１０）の軸方向に垂直であり、
さらに、前記組立体は、第２の主壁板（１２００）および半主壁板（１１５０）を含み、前記第２の主壁板（１２００）が長方形の本体を有し、前記第２の主壁板（１２００）の前記本体の右下部分が右方に突出して球状突起（１０２０）を形成し、右上部分が右方に延びて延長部分（１０３０）を形成し、前記第２の主壁板（１２００）の前記本体の左下部分が左方に延びて延長部分（１０３０）を形成し、左上部分が左方に突出して球状突起（１０２０）を形成し、前記２つの延長部分（１０３０）の前端面には、後方に凹んで球状凹部キャビティ（１０１０）が形成され、前記球状突起（１０２０）が前記球状凹部キャビティ（１０１０）と整合し、前記球状突起（１０２０）の軸方向が、前記球状凹部キャビティ（１０１０）の軸方向に垂直であり、前記半主壁板（１１５０）の長さが前記第２の主壁板（１２００）の前記長さに等しく、前記第１の主壁板（１１００）の高さが前記第２の主壁板（１２００）の前記高さと同じであり、前記半主壁板（１１５０）の前記高さが前記第１の主壁板（１１００）の前記高さの半分であり、前記半主壁板（１１５０）の右側面が、前記半主壁板（１１５０）の前端面に平行な軸を有する球状突起（１０２０）を形成するように突出しており、左側面が、前記球状凹部キャビティ（１０１０）を有する延長部分（１０３０）を形成するように突出し、前記球状凹部キャビティ（１０１０）の軸が、前記半主壁板（１１５０）の前記前端面に垂直である、組立式コンテナハウスシステム用の組立体。
【請求項２】
前記第１の主壁板（１１００）および前記第２の主壁板（１２００）の上部が上方に突出して柱状ピン（１０６０）を形成し、前記第１の主壁板（１１００）および前記第２の主壁板（１２００）の底部が前記柱状ピン（１０６０）と整合する孔を形成するように上方に凹み、前記半主壁板（１１５０）の上部が上方に突出して前記柱状ピン（１０６０）を形成し、底部が上方に凹んで前記柱状ピン（１０６０）と整合する孔を形成する、請求項１に記載の組立式コンテナハウスシステム用の組立体。
【請求項３】
補助壁板（１１９０）、半補助壁板（１１９５）、および壁板を水平に突き合わせることができる水平コネクタ（１６８０）をさらに含み、前記補助壁板（１１９０）の構造が前記第１の主壁板（１１００）の前記構造と同じであり、かつ前記補助壁板（１１９０）の前記本体長さが前記第１の主壁板（１１００）の前記本体長さの半分であるか、または前記補助壁板（１１９０）の構造が前記第２の主壁板（１２００）の前記構造と同じであり、かつ前記補助壁板（１１９０）の前記本体長さが前記第１の主壁板（１１００）の前記本体長さの半分であり、前記補助壁板（１１９０）の前記高さが前記第１の主壁板（１１００）の前記高さおよび前記第２の主壁板（１２００）の前記高さと同じであり、前記半補助壁板（１１９５）の前記高さが前記補助壁板（１１９０）の前記高さの半分であり、前記半補助壁板（１１９５）の前記長さが前記補助壁板（１１９０）の前記長さと同じであり、前記半補助壁板（１１９５）の前記構造が前記補助壁板（１１９０）の上半分の前記構造と同じである、請求項１に記載の組立式コンテナハウスシステム用の組立体。
【請求項４】
前記水平コネクタ（１６８０）が、第１のストッパ（１６８４）、第２のストッパ（１６８１）、および第３のストッパ（１６８２）によって一体的に形成され、前記第３のストッパ（１６８２）が、前記第１のストッパ（１６８４）と前記第２のストッパ（１６８１）との間に位置し、前記第１のストッパ（１６８４）には、前記球状凹部キャビティ（１０１０）に整合する球状突起（１０２０）が突出形成されており、前記第３のストッパ（１６８２）には、前記球状突起（１０２０）に整合する球状凹部キャビティ（１０１０）が凹設され、前記水平コネクタ（１６８０）上の前記球状突起（１０２０）の軸方向が、前記水平コネクタ（１６８０）上の前記球状凹部キャビティ（１０１０）の軸方向に垂直であり、前記球状突起（１０２０）および前記球状凹部キャビティ（１０１０）が、前記第３のストッパ（１６８２）の異なる側面に位置する、請求項３に記載の組立式コンテナハウスシステム用の組立体。
【請求項５】
屋根をさらに含み、前記屋根が２つの主屋根（１５００）と昼光、防雨および換気用天窓（１５５０）を含み、前記２つの主屋根（１５００）が互いに組み付けることができ、前記昼光、防雨、換気用天窓（１５５０）が、前記２つの主屋根（１５００）の間に位置する、請求項２に記載の組立式コンテナハウスシステム用の組立体。
【請求項６】
前記屋根が少なくとも１つの補助屋根（１５８０）をさらに含み、前記補助屋根（１５８０）が前記２つの主屋根（１５００）の間に組み付けられ、前記昼光、防雨、換気用天窓（１５５０）が、前記主屋根（１５００）と前記補助屋根（１５８０）との間、および隣接する補助屋根（１５８０）の間に組み付けられる、請求項５に記載の組立式コンテナハウスシステム用の組立体。
【請求項７】
ドアプレート（１４００）、敷居（１６１０）、ドアビーム（１６２５）、第１のコーナドアフレーム（１６３０）、および第２のコーナドアフレーム（１６４０）をさらに含み、前記ドアプレート（１４００）が壁板にヒンジ式に接続された回転部分を有し、前記敷居（１６１０）が凹んでおり、右方に突出することにより、前記敷居（１６１０）の右側面に球状突起（１０２０）が形成され、前記敷居（１６１０）の左側が突出して、後端面が球状凹部キャビティ（１０１０）を有する第２の延長部分を形成し、前記敷居（１６１０）上の前記球状突起（１０２０）の軸が、前記敷居（１６１０）上の前記球状凹部キャビティ（１０１０）の軸に垂直であり、前記ドアビーム（１６２５）がＴ字型であり、前記ドアビーム（１６２５）の左側面には左側に突出して球状突起（１０２０）が形成され、前記ドアビーム（１６２５）の右側が突出して、後端面が球状凹部キャビティ（１０１０）を有する第２の延長部分が形成され、前記ドアビーム（１６２５）上の前記球状突起（１０２０）の軸が、前記ドアビーム（１６２５）上の前記球状凹部キャビティ（１０１０）の軸に垂直であり、前記第１のコーナドアフレーム（１６３０）の右側の下半部には、後端面が球状凹部キャビティ（１０１０）を有する第２の延長部分が一体的に形成され、前記第１のコーナドアフレーム（１６３０）の前記右側の上半部には、右方向に突出する球状突起（１０２０）が形成され、前記第１のコーナドアフレーム（１６３０）上の前記球状突起（１０２０）の軸が、前記第１のコーナドアフレーム（１６３０）上の前記球状凹部キャビティ（１０１０）の軸に垂直であり、前記第２のコーナドアフレーム（１６４０）の右側の上半部には、後端面が球状凹部キャビティ（１０１０）を有する第２の延長部分が一体的に形成され、前記第２のコーナドアフレーム（１６４０）の前記右側の下半部には、右方向に突出する球状突起（１０２０）が形成され、前記第２のコーナドアフレーム（１６４０）上の前記球状突起（１０２０）の軸が、前記第２のコーナドアフレーム（１６４０）上の前記球状凹部キャビティ（１０１０）の軸に対して垂直である、請求項２に記載の組立式コンテナハウスシステム用の組立体。
【請求項８】
屋根リッジをさらに含み、前記屋根リッジが、一次ビーム、弾性体（１９５０）、および前記一次ビームの両側に整合して設置される一体板（１３００）をさらに含み、前記一次ビームが、複数の一次ビーム部材（１９００）を左から右に順次組み継ぐことによって形成され、前記一次ビーム部材（１９００）の左組み継ぎ部（１９０３）が、前記一次ビーム部材（１９００）の右組み継ぎ部（１９０４）と整合し、前記左組み継ぎ部（１９０３）および前記右組み継ぎ部（１９０４）には、互いに整合する球状突起（１０２０）と球状凹部キャビティ（１０１０）と、が形成され、前記一次ビーム部材（１９００）の上端面には、千鳥状に配置され互いに対向する第１のフック状構造体（１９０１）および第２のフック状構造体（１９０２）が設けられ、前記弾性体（１９５０）がＴ字型であり、前記一体板（１３００）の内端が、互いに対向する前記第１のフック状構造体（１９０１）と前記第２のフック状構造体（１９０２）との間に位置し、前記弾性体（１９５０）のアーム（１９５１）と前記一次ビーム部材（１９００）の上面との間に位置する、請求項７に記載の組立式コンテナハウスシステム用の組立体。
【請求項９】
前記球状凹部キャビティ（１０１０）および前記球状突起（１０２０）の両方が、単層およびシームレスブロー成形によって一体的に形成され、前記球状凹部キャビティ（１０１０）の内面に不連続な凹凸構造（１０１６）が形成される、請求項１に記載の組立式コンテナハウスシステム用の組立体。
【国際調査報告】
2019525029.tif 000043
2019525029.tif 000044
2019525029.tif 000045
2019525029.tif 000046
2019525029.tif 000047
2019525029.tif 000048